(57)【要約】      （修正有）【課題】  新聞や牛乳配達をする人や足上がりが悪く、歩行に支障をきたしている方たちの歩行補助の装置を提供する。【解決手段】下半身衣類に、伸縮自在物体たとえばゴム又はバネなどが単独で容易に伸縮できるように、下半身衣類にとは別個に案内溝を設け、ゴム又はバネなどの伸縮物体を案内溝に貫通させ、下半身衣類と案内溝を組み合わせてしっかりと結合させる構造とする。右足を後ろに上げれば体重の負荷は左足に行き、右足は無負荷となりゴム又はバネなどの反発力で縮むので足上がりには何の負担もない。【選択図】図６
2007203010.tif 000002
【特許請求の範囲】
新聞や牛乳配達をする人や、足が悪くなって歩行するのに支障をきたしている人達が着用している下半身衣類に、別個に独立した案内溝を設け、さらにその案内溝の内部に完全に独立した単独の伸縮自在物体を貫通させ、下半身衣類と案内溝を組み合わせてしっかりと結合させる構造とする。
歩行することにより体重は交互の足に負荷がかかり、単独で独立している伸縮自在物体は体重負荷と連動して足に伝わるので負荷のときは伸縮物体は伸びて、足を上げた無負荷のときは縮まる、その伸縮自在の反発力を活用して足上がりを楽にすることを特徴とした「反発力活用足上がり楽チン装置」
【発明の詳細な説明】
新聞や牛乳配達をしている人や、足上がりが悪くなって、歩行するのに支障をきたして歩くことが苦痛でたまらないなどという方たちの話を聞くたびに、何とかよい方法はないものだろうかと本発明者は不眠不休で研究を重ねた。
その結果本発明者は、安価で手っ取り早く、しかも仰々しい補助具などを全用いることなく、通常体で使用ができその上本人も体に支障負担が生じないので歩くことが楽しくなり、且つ健康維持にはこの上も無いという全く新規なる「反発力活用足上がり楽チン装置」なるものを、この世に初めて発明をした。
本日ここに、その発明の原理とメカニズムを発表するものである。
まずは下半身の衣類に、伸縮自在物体であるゴム又はバネ等が単独で容易に伸縮できるように、下半身衣類に案内溝を設ける、案内溝は長いトンネル状か又は短いトンネル状にして一定間隔をおきながら下半身衣に組み合わせ両端を縫い付けてもよいが、一方を縫い付け一方をマジックテープ、ボタン，ホック等の開閉式にしたほうが衣類の洗濯の際は簡単で都合がよいし、本発明の「反発力活用足上がる楽チン装置」の着脱も容易あるから、開閉形の案内溝の場合を説明したい。
下半身衣類（ズボンは内側  下ズボン又はステテコは外側）中心部の両サイドに伸縮自在物体のゴム又はバネ等が容易に移動できる構造のした案内溝を設け、ゴム又はバネなどの伸縮自在物体を足首の辺りよりＵターンさせ左側の案内溝に貫通させ腰部あたりまで持って行く、その時点の腰部のバンドあたりに固定しても差し支えはないのであるが（ゴム又はバネは、その伸縮状態に応じ膝あたりまでで、それから上はバンドまたはヒモの場合いもある）腰部に固定押した場合い下半身衣類が引き下がる心配もあるので、伸縮自在物体を図３  図４  図５  図６で示すように伸縮自在物体をバンドと連結させ右足外側のバンドは左肩を通って右足内側の伸縮自在物体と連結させる、その反対側の左足外側の伸縮自在物体のゴム又はバネをバンドと連結させ右肩を通って背面と前面のバンドをクロスさせ左足の内側と連結させれば安定する。。
このように案内溝のセットされている下半身衣類に、本発明の「反発力活用足上がり楽チン装置」を取り付けて歩行を開始して、右足を後ろに上げれば体重の負荷は左足に行き、右足は無負荷となりゴム又はバネ等の反発力で、足踏ずに密着しているので足上がりの負担はなんら感じない。
このことを両足で繰り返して歩いていれば、足の負担は従来の数分の一に減少するので足上がりが悪くなり歩くことが難儀である等と言うことは完全に解消できるものである。
このような構造にできている本発明の「反発力活用足上がり楽チン装置」を着用して歩くことは健康に良いということは言うまでもないが、健康の壷とも言われている足裏の土踏まずの部分はゴム又はバネ等の伸縮作用により、常に程よい刺激が与え続けられる。
従って血流の流れは活発に活性化するので健康対策には一石二鳥にも三鳥にもなる。
【図面の簡単な説明】
【図１】は本発明の案内溝を開いて本発明を取り付け又は取り外す状態を示す側面図。
【図２】は本発明の案内溝を閉じてゴムやバネなどの伸縮物体が作動する状態を側面図。
【図３】は本発明を下半身衣類に設置し伸縮自在物体に負荷が加わり伸びている状態を示す拡大側面図（点線部は内部構造側面図）。
【図４】は本発明を着用した後方から見た正面図（点線部は内部構造斜視図）。
【図５】は本発明を着用した前方から見た正面図（点線部は内部構造斜視図）。
【図６】は本発明を着用して散歩し、足上がりが楽チンなので楽しくなり鼻歌を歌いながら散歩をしている斜視図（点線部は内部構造斜視図）。
【符号の説明】
（１）は案内溝  （２）はゴム又はバネ  （３）は開閉止め具  （４）は下半身衣類（ズボン  下ズボン  ステテコ等）  （５）は案内溝押さえ縫い代  （６）肩掛けバンド  （７）はゴム又はバネなどの伸縮方向  （８）は杖
【図１】
2007203010.tif 000003
【図２】
2007203010.tif 000004
【図３】
2007203010.tif 000005
【図４】
2007203010.tif 000006
【図５】
2007203010.tif 000007
【図６】
2007203010.tif 000008
【手続補正書】
【提出日】平成18年2月3日(2006.2.3)
【手続補正１】
【補正対象書類名】特許請求の範囲
【補正対象項目名】全文
【補正方法】変更
【補正の内容】
【特許請求の範囲】
【請求項１】
新聞や牛乳配達をする人や、足が悪くなって歩行するのに支障をきたしている人達が着用しているズボンの下に、別個に単独で独立した伸縮自在物体をズボンに合わせて足首辺りまで設け、足踏まずに伸縮物体を履く構造とする。
その伸縮自在物体を足踏まずに履いて歩行することにより体重は交互の足に負荷がかかり、単独で独立している伸縮自在物体は体重負荷と連動して足に伝わるので負荷のときは伸縮物体は伸びて、足を上げた無負荷のときは縮まる、その伸縮自在の反発力を活用して足上がりを楽にすることを特徴とした「反発力活用足上がり楽チン伸縮自在装置」。
【手続補正２】
【補正対象書類名】明細書
【補正対象項目名】全文
【補正方法】変更
【補正の内容】
【発明の詳細な説明】
新聞や牛乳配達をしている人や、足上がりが悪くなって、歩行するのに支障をきたして歩くことが苦痛でたまらないなどという方たちの話を聞くたびに、何とかよい方法はないものだろうかと本発明者は不眠不休で研究を重ねた。
その結果本発明者は、安価で手っ取り早く、しかも仰々しい補助具などを全用いることなく、通常体で使用ができその上本人も体に支障負担が生じないので歩くことが楽しくなり、且つ健康維持にはこの上も無いという全く新規なる「反発力活用足上がり楽チン伸縮自在装置」なるものを、この世に初めて発明をした。
本日ここに、その発明の原理とメカニズムを発表するものである。
まずはズボンの下に完全に独立した伸縮自在物体を別個にズボンに合わせ腰部から足首あたりまだ下げた辺りの位置で、Ｕターンさせ反対足の腰部の辺りまで持っていく、上記の足を右足とすれば反対側の左足の伸縮物体も同じ構造とする。
次に腰部にある伸縮物体のゴム又はバネ等は腰部バンドに固定してもなんら差し支えはないのであるが、腰部に固定すると引き下がって伸縮効果が低下する場合があるので図４、図５、図６で示すようにゴム又はバネとバンドを接続してバンドを前面と背中部分が互い違いになるように肩まで持っていったほうが安定する。
次に足首辺りにＵターンしている伸縮物体のゴム又はバネの上に両足の足踏まずに履いたならば足首バンドで足首を固定すればよく、その上に上着ならびにズボンを履けばよい。
このようにできている本発明を着用して歩行を開始して右足を付いて左足を上げたならば、右足に体重負荷が加わるのでゴム又はバネは伸びる、左足は負荷は無負荷となるのでゴム又はバネは縮んで左足は軽く上がる。
このことを両足で繰り返して歩いていれば、足の負担は従来の数分の一に減少するので足上がりが悪くて歩くことが難儀である等と言うことは完全に解消できるものである。
このような構造にできている本発明の「反発力活用足上がり楽チン伸縮自在装置」を着用して歩くことは健康に良いということは言うまでもないが、健康の壷とも言われている足裏の土踏まずの部分はゴム又はバネ等の伸縮作用により、常に程よい刺激が与え続けられる。
従って血流の流れは活発に活性化するので健康対策には一石二鳥にも三鳥にもなる。
【図面の簡単な説明】
【図１】は本発明をズボン内部に設置し伸縮自在物体に負荷が加わり伸びている状態を示す拡大側面図（点線部は内部構造側面図）。
【図２】は本発明を着用した後方から見た正面図（点線部は内部構造斜視図）。
【図３】は本発明を着用した前方から見た正面図（点線部は内部構造斜視図）。
【図４】は本発明を着用して散歩し、足上がりが楽チンなので楽しくなり鼻歌を歌いながら散歩をしている斜視図（点線部は内部構造斜視図）。
【符号の説明】
（１）はズボン（２）はゴム又はバネ（３）は足首とめ具（４）は肩掛けバンド（５）はゴム又はバネの伸縮方向（６）は上着（７）は杖
【手続補正４】
【補正対象書類名】図面
【補正対象項目名】全図
【補正方法】変更
【補正の内容】
【図１】
2007203010.tif 000009
【図２】
2007203010.tif 000010
【図３】
2007203010.tif 000011
【図４】
2007203010.tif 000012
【手続補正書】
【提出日】平成18年3月8日(2006.3.8)
【手続補正１】
【補正対象書類名】特許請求の範囲
【補正対象項目名】全文
【補正方法】変更
【補正の内容】
【特許請求の範囲】
【請求項１】
新聞や牛乳配達をする人や、足が悪くなって歩行するのに支障をきたしている人達の体格に合わせ、別個に単独で独立したゴム又はバネ等の伸縮自在物体を肩から足首辺りまで設け、伸縮力操作を足踏まずに履く構造とする。
その伸縮自在物体を足踏まずに履いて歩行することにより体重は交互の足に負荷がかかり、単独で独立している伸縮自在物体は体重負荷と連動して足に伝わるので負荷のときは伸縮物体が伸びて、足を上げた無負荷のときは縮まる、その伸縮自在の反発力を活用して足上がりを楽にすることを特徴とした「反発力活用足上がり楽チン伸縮自在装置」。
【手続補正２】
【補正対象書類名】明細書
【補正対象項目名】全文
【補正方法】変更
【補正の内容】
【発明の詳細な説明】
新聞や牛乳配達をしている人や、足上がりが悪くなって、歩行するのに支障をきたして歩くことが苦痛でたまらないなどという方たちの話を聞くたびに、何とかよい方法はないものだろうかと本発明者は不眠不休で研究を重ねた。
その結果本発明者は、安価で手っ取り早く、しかも仰々しい補助具などを全用いることなく、通常体で使用ができその上本人も体に支障負担が生じないので歩くことが楽しくなり、且つ健康維持にはこの上も無いという全く新規なる「反発力活用足上がり楽チン伸縮自在装置」なるものを、この世に初めて発明をした。
本日ここに、その発明の原理とメカニズムを発表するものである。
まずは歩行するのに支障をきたしている人たちの体格に合わせ、別個に単独独立したゴム又はバネ等の伸縮自在物体を肩から足首のあたり、又は足首より少し上あたりまで設け、伸縮力操作を足踏まずに履く構造とする。
その伸縮物体を足踏まずに履いて歩行することにより体重は交互の足負荷が加わり、単独で独立している伸縮自在物体は、体重の負荷と連動して体重負荷と連動して足に伝わるので負荷が加わったときは伸縮物体、足を上げ無負荷のときは縮まる、その伸縮自在の反発力を活用して足上がりを快適にすることを特徴としたものである。
次に伸縮物体のゴム又はバネなどは肌触りが良いように布などでトンネル状にして内部にゆとりを持った状態で収納する、上半身はチョッキ等に取り付ければ肩の負担もなく（図示せず）装着が容易である。
トンネル状の布の長さは伸縮物体が伸びでも充分余裕がある長さとし伸縮物を装着した人の体格に合わせゴム又はバネならびに押さえバンドの長短を調整できる個所を数箇所設ける構造とする。
図１で示す本発明を図２、図３、で示すようにゴム又はバネ等の伸縮物は肩から足首辺りにＵターンさせ両足の足踏まずに履いたならば、次に足、膝、腿、腰を（９）のバンドを（８）の、調整装置で固定する、上記の足を右足とすれば反対側の左足の伸縮物体も同じ構造とする。
次に伸縮物体のゴム又はバネ等は肌触りが良いように布等でトンネル状にした内部に収納する、トンネル状の布等はゴム又はバネが伸縮作用に支障の無いように内部ならびに長さはゴム又はバネ等長さと布などの長さが同じではゴム等が伸縮出来ないのでトンネル状の布の長さはバネ等が伸びても充分余裕がある長さとし、伸縮物体は装着した一部に体格に合わせて調整できる構造とする。
図１で示す本発明を図２、図３、で示すようにゴム又はバネなどの伸縮物は肩から足首辺りにＵターンして調整してある伸縮物を両足の足踏まずに履いたならば、次に（９）のバンドで足、膝，腿を（８）の長短調整装置で調整してバンドで固定する、その人の状態によりバンドの固定個所は増減してもなら差し支えは無い。
固定バンドはトンネル外部の内側に（１０）の案内溝を通して足、膝、腿、腰、を固定するのでゴム又はバネなどは完全に独立しているのでトンネル内でなんに支障も無く伸縮作用を繰り返すこととなる。
このように出来ている本発明を着用して歩行を開始して右足を突いて左足を上げれば、肩から足踏まずまでの長い伸縮肯定を得てくる反発力の力で左足は何の支障も無く軽く上昇する、このことを両足で繰り返しして歩いていれば、足の負担はなくなるので、足上がりが悪くて歩くことが難儀で仕方が無いなどということは完全に解消できるものである。
バンドはトンネル外部に設置するがトンネル内部はゴム又はバネ等が伸縮するのに支障をきたさないように充分な余裕がある構造とする。
図２、図３、図４、は本発明のメカニズムが誰が見てもわかるように上着の上から着用した図面であるが、これを下着の上に上着とズボンを着用すれば、どこから見てもわからない。
このような構造に出来ている本発明の「反発力活用足上がり楽チン伸縮自在装置」はゴム又はバネなどを肩から足踏まずまでの長い伸縮肯定を得て、体の全体での体重と脳（前頭葉）の指令で足を上げ下げさせるのでなんら負担をかじることなく自然体で楽しく歩行することが出来ることは言うまでも無いが、健康の壷とも言われている足裏の土踏まず部分は常に程よい刺激が与えられる、従って血流の流れは活発に活性化するので健康対策には一石二鳥にも三鳥にもなる。
【図面の簡単な説明】
【図１】は本発明の構造を示す全体斜視図
【図２】は本発明を着用した前方から見た正面図。
【図３】は本発明を着用した後方から見た正面図。
【図４】は本発明を着用して散歩し、足上がりが楽チンなので楽しくなり鼻歌を歌いながら散歩をしている斜視図（点線部は内部構造斜視図）。
【符号の説明】
（１）ズボン（２）ゴム又はバネ（３）（４）布等のトンネル（５）はゴム又はバネの伸縮方向（６）上着（７）杖（８）ベルト、伸縮物などの長短調整装置（９）ベルト（１０）ベルト案内溝
【手続補正４】
【補正対象書類名】図面
【補正対象項目名】全図
【補正方法】変更
【補正の内容】
【図１】
2007203010.tif 000013
【図２】
2007203010.tif 000014
【図３】
2007203010.tif 000015
【図４】
2007203010.tif 000016